(57)【特許請求の範囲】
【請求項１】
ケーブルラックに装着するセパレーターを支持するように設けられた支持具に取り付けられ、ケーブルラックの子桁上面に設置する支持具の設置位置を調整するセパレーター支持具用位置調整金具であって、子桁と該子桁上に設置される網状板との間に介する金具本体が設けられ、該金具本体に、前記支持具を固定する固定ボルトを挿通せしめる連結孔を開穿し、該連結孔に挿通した固定ボルトで、支持具を固定するために子桁内部に装着された固定ナットに支持具の代わりに金具本体を固定するように設けられ、一方、支持具に設けられたボルト挿通孔を通して金具本体に開穿された長孔状の調整孔にネジ止めする連結ネジを備え、該連結ネジにて網状板の上に配された支持具と網状板の下に配された金具本体とをネジ止めするときに、金具本体の調整孔上で網状板の網目の位置を選択できるように設けたことを特徴とするセパレーター支持具用調整金具。
【請求項２】
前記連結ネジはタッピンネジにて形成され、前記金具本体の調整孔に直接ネジ止めするように設けた請求項１記載のセパレーター支持具用調整金具。
【請求項３】
前記金具本体の調整孔に連結ナットをスライド自在に装着し、該連結ナットに前記連結ネジをネジ止めするように設けた請求項１記載のセパレーター支持具用調整金具。
【請求項４】
前記金具本体は平面略矩形状を成し、該周囲縁の適位置から前記子桁方向に屈曲され、子桁の上面開口部に挿入される補強リブを設けた請求項１乃至３いずれか記載のセパレーター支持具用調整金具。
【発明の詳細な説明】
【技術分野】
【０００１】
本発明は、ケーブルラックの底部に網状板を敷設した状態で該ケーブルラック内にセパレーターを支持するのに好適なセパレーター支持具用調整金具に係り、特に、網状板に加工を施すことなくセパレーターを支持することができるセパレーター支持具用調整金具に関する。
【背景技術】
【０００２】
一般に、ケーブルをケーブルラックに配線すると、ケーブルラックの底部においてケーブルが表出する。そこで、安全性や美感を配慮してケーブルラックの底部に合成樹脂製又は金属製の網状板を敷設することがある。
【０００３】
このケーブルラックには、高圧配線、低圧配線、弱電流配線、光ファイバーケーブル等の各種電線類が配線される。この場合、施設場所によって異なるが、高圧配線と他の配線とが接近又は交差するところは、最低でも１５ｃｍ以上隔離しなければならない。ところが、ケーブルラック内で隔離する場合は、この距離を保つことができないことが多いので、隔離する距離の代わりに堅牢な耐火性の隔壁を設けると、１５ｃｍ以上隔離しなくても配線できることになる。この堅牢な耐火性の隔壁がセパレーターである。
【０００４】
このセパレーターをケーブルラックに固定する金具として、例えば特許文献１や特許文献２に記載された金具が提案されている。
【０００５】
特許文献１の支持具は、ケーブルラックの子桁上面に固定する金具で、子桁の内部に装着したナットに子桁の上面に配置した支持具から連結ボルトを挿通してネジ止めする。そして、固定された支持具に、支持片と挟着片とが備えられ、これらの間にセパレーター本体を挟み込むものである。
【０００６】
特許文献２に記載された支持具は、やはりケーブルラックの子桁上面に固定する金具で、子桁の内部に装着したナットに子桁の上面に配置した支持具から連結ボルトを挿通してネジ止めする。この支持具では、セパレーターの仕切片の下端部に屈曲形成された取付片を、この支持具で子桁側に圧着してケーブルラックを固定するように設けられている。
【０００７】
特許文献３に記載の支持具は、子桁の下面から子桁の上面方向に至る下部金具を装着し、子桁上面に載置したセパレーターの下端部に設けられている溝に下部金具をネジ止めするものである。
【特許文献１】特開２０００‐５０４５１号公報
【特許文献２】特開２００１‐１５７３３６号公報
【特許文献３】特開平１０‐１９１５２６号公報
【発明の開示】
【発明が解決しようとする課題】
【０００８】
特許文献１及び特許文献２の支持具によると、子桁の上面に支持具を固定するものなので、ケーブルラックの底部に合成樹脂製等の網状板を敷設した場合、この子桁が網状板に隠れることになる。そのため、支持具を子桁に装着するには、子桁を覆っている網状板の一部を取り除く必要があり、ケーブル配線作業の作業工程が煩雑になる不都合があった。
【０００９】
また、網状板の一部を取り除く替わりに、幅の異なった網状板を組み合わせて支持具の装着箇所が網状板で隠れないようにすることも可能であるが、この場合には、特製の網状板を発注するか、あるいは通常の網状板を裁断しなくてはならず、コストや手間がかかるものであった。
【００１０】
特許文献３によると、子桁の下面に下部金具を装着する構成になっているが、子桁の上面に載置したセパレーターにネジ止めするには、やはり、子桁上面の網状板が妨げになり、網状板への加工等が必要になる。しかも、この支持具では、子桁の下面に支持具が表出するので美感を損ねるものになり、ケーブルラック底部の美感を配慮して敷設する網状板の目的と相反することになる。
【００１１】
そこで本発明は上述の課題を解消すべく創出されたもので、ケーブルラックの底部に敷設された網状板に加工を施すことなくセパレーターを支持することができるセパレーター支持具用調整金具の提供を目的とするものである。
【課題を解決するための手段】
【００１２】
上述の目的を達成すべく本発明における第１の手段は、ケーブルラックＰに装着するセパレーターＳを支持するように設けられた支持具Ｑに取り付けられ、ケーブルラックＰの子桁Ｐ１上面に設置する支持具Ｑの設置位置を調整するセパレーター支持具用位置調整金具であって、子桁Ｐ１と該子桁Ｐ１上に設置される網状板Ｒとの間に介する金具本体１が設けられ、該金具本体１に、前記支持具Ｑを固定する固定ボルトＱ２を挿通せしめる連結孔２を開穿し、該連結孔２に挿通した固定ボルトＱ２で、支持具Ｑを固定するために子桁Ｐ１内部に装着された固定ナットＴに支持具Ｑの代わりに金具本体１を固定するように設けられ、一方、支持具Ｑに設けられたボルト挿通孔Ｑ１を通して金具本体１に開穿された長孔状の調整孔４にネジ止めする連結ネジ５を備え、該連結ネジ５にて網状板Ｒの上に配された支持具Ｑと網状板Ｒの下に配された金具本体１とをネジ止めするときに、金具本体１の調整孔４上で網状板Ｒの網目の位置を選択できるように設けたことにある。
【００１３】
第２の手段の前記連結ネジ５はタッピンネジにて形成され、前記金具本体１の調整孔４に直接ネジ止めするように設けたものである。
【００１４】
第３の手段は、前記金具本体1の調整孔４に連結ナット６をスライド自在に装着し、該連結ナット６に前記連結ネジ５をネジ止めするように設けている。
【００１５】
第４の手段の前記金具本体１は平面略矩形状を成し、該周囲縁の適位置から前記子桁Ｐ１方向に屈曲され、子桁Ｐ１の上面開口部に挿入される補強リブ３を設けたことを課題解消のための手段とする。
【発明の効果】
【００１６】
本発明の請求項１によると、網状板Ｒの上に配された支持具Ｑと網状板Ｒの下に配された金具本体１とをネジ止めするときに、金具本体１の調整孔４上で網状板Ｒの網目の位置を選択できるように設け、ケーブルラックＰの子桁Ｐ１上面に設置する支持具Ｑの設置位置を調整することにより、網状板Ｒに加工を施すことなくセパレーターＳを支持することができる。この結果、施工性が向上し、人件費などを削減することもできる。また、ケーブルラックＰにケーブルを配線する前であれば、セパレーターＳの位置変更も容易に行うことができる。
【００１７】
また、子桁Ｐ１と該子桁Ｐ１上に設置される網状板Ｒとの間に介する金具本体１が設けられ、該金具本体１に開穿した連結孔２を通し、支持具Ｑを固定するために子桁Ｐ１内部に装着された固定ナットＴにネジ止めして支持具Ｑの代わりに固定ボルトＱ２で金具本体１を固定するように設け、支持具Ｑに設けられたボルト挿通孔Ｑ１を通して金具本体１に開穿された長孔状の調整孔４にネジ止めする連結ネジ５とを備えているので、子桁Ｐ１の内部に固定ナットＴを装着して子桁Ｐ１の上面に固定するタイプの支持具Ｑに共通して使用することができる。しかも、支持具Ｑの固定と共に網状板Ｒ固定することができる。更に、特許文献３の如く、子桁Ｐ１の下面に配するものではないので美感を損ねることがなく、ケーブルラックＰ底部の美感を配慮して敷設する網状板Ｒの使用目的に沿った使用ができる。
【００１８】
請求項２により、連結ネジ５をタッピンネジにて形成し、金具本体１の調整孔４に直接ネジ止めするように設けることで、支持具Ｑの装着作業をより簡略化することができる。
【００１９】
請求項３により、金具本体1の調整孔４に連結ナット６をスライド自在に装着し、該連結ナット６に前記連結ネジ５をネジ止めするように設けることで、該連結ナット６と連結ネジ５との連結力を高めることが可能になる。
【００２０】
請求項４では、金具本体１は平面略矩形状を成し、該周囲縁の適位置から前記子桁Ｐ１方向に屈曲され子桁Ｐ１の上面開口部に挿入される補強リブ３を設けたことで、金具本体１の供回りを防止し、又、子桁Ｐ１との連結強度や金具本体１自体の強度を高めることができる。
【００２１】
このように、本発明によると網状板Ｒに加工を施すことなくセパレーターＳを支持することができ、支持具Ｑの装着作業をより簡略化することができるなどといった種々の効果を奏するものである。
【発明を実施するための最良の形態】
【００２２】
本発明位置調整金具の最良の形態は、ケーブルラックＰの子桁Ｐ１と該子桁Ｐ１上に設置される網状板Ｒとの間に介する金具本体１を設け、該周囲縁の適位置から子桁Ｐ１方向に屈曲され子桁Ｐ１の上面開口部に挿入される補強リブ３を設ける。該金具本体１に、前記支持具Ｑを固定する固定ボルトＱ２を挿通せしめる連結孔２を開穿する。該連結孔２に挿通した固定ボルトＱ２で、支持具Ｑを固定するために子桁Ｐ１内部に装着された固定ナットＴに支持具Ｑの代わりに金具本体１を固定するように設ける。支持具Ｑに設けられたボルト挿通孔Ｑ１を通して金具本体１に開穿された長孔状の調整孔４にネジ止めする連結ネジ５をタッピンネジにて設ける。該連結ネジ５にて網状板Ｒの上に配された支持具Ｑと網状板Ｒの下に配された金具本体１とをネジ止めするときに、金具本体１の調整孔４上で網状板Ｒの網目の位置を選択できるように設けることで、当初の目的を達成するものである。
【実施例】
【００２３】
以下、本発明の一実施例を説明する。本発明位置調整金具は、ケーブルラックＰの子桁Ｐ１上面に設置する支持具Ｑの設置位置を調整するもので、この支持具Ｑは、ケーブルラックＰの子桁Ｐ１に固定してセパレーターＳを支持するものである。本発明位置調整金具は、この支持具Ｑに取り付けて使用する（図１参照）。
【００２４】
支持具Ｑは、子桁Ｐ１の内部に装着した固定ナットＴに子桁Ｐ１の上面でネジ止めするもので、この子桁Ｐ１と支持具Ｑとの間に網状板Ｒを介するときに、本発明位置調整金具を子桁Ｐ１と網状板Ｒとの間に配するものである（図４（イ）参照）。
【００２５】
本発明の具体的構成は、金具本体１と連結ネジ５を備えるものである。金具本体１は、ケーブルラックＰの子桁Ｐ１上に設置される網状板Ｒと該子桁Ｐ１との間に介する平面略矩形状の金具である。図示例では、金具本体１の周囲縁の適位置から前記子桁Ｐ１方向に補強リブ３を屈曲形成している（図１参照）。この補強リブ３は、子桁Ｐ１の上面開口部に挿入される部材で、金具本体１の供回りを防止し、又、連結強度及び金具本体の強度を高めるものである（図４（ロ）参照）。
【００２６】
図１及び図４に示す金具本体１は、網状板Ｒを介して支持具Ｑを載置する載置面１Ａの面積を広く形成することで、支持具Ｑがどの位置にきても傾かずに安定した固定が可能になる（図４参照）。
【００２７】
金具本体１には連結孔２及び調整孔４が開穿されている（図１参照）。該連結孔２は、前記支持具Ｑを固定する固定ボルトＱ２を挿通せしめる孔で、この連結孔２に挿通した固定ボルトＱ２を子桁Ｐ１内部に装着された固定ナットＴにネジ止めして金具本体１を子桁Ｐ１に固定する。固定ナットＴは、もともと支持具Ｑを固定するために子桁Ｐ１内部に装着される部材であるが、子桁Ｐ１上に網状板Ｒが設置され、本発明調整金具を使用する場合に、支持具Ｑに代えて金具本体１をこの固定ナットＴに固定するものである。
【００２８】
一方、調整孔４は長孔状を成し、連結ネジ５で支持具Ｑを位置調整自在に連結する。この連結ネジ５は、支持具Ｑに設けられたボルト挿通孔Ｑ１を挿通するボルトで、子桁Ｐ１に固定されている金具本体１に、網状板Ｒを介して支持具Ｑを連結するものである。すなわち、該連結ネジ５にて網状板Ｒの上に配された支持具Ｑと網状板Ｒの下に配された金具本体１とをネジ止めするときに、金具本体１の調整孔４上で網状板Ｒの網目の位置を選択し、網状板Ｒが妨げにならない位置で支持具Ｑを固定するものである。
【００２９】
図示の調整孔４は、網状板Ｒの孔ピッチより同等以上の長さの長孔に設けている。このように調整孔４を設けることで、網状板Ｒの孔がどの位置にきても連結ネジ５を挿通させることができる（図２参照）。
【００３０】
図３に示す連結ネジ５はタッピンネジにて形成している。そして、金具本体１の調整孔４にこのタッピンネジにて直接ネジ止めするように設けている（同図（イ）参照）。すなわち、タッピンネジのネジピッチ５Ｃを金具本体１の板厚ｔよりも広くしておき、調整孔４の短径４Ｄがネジ山の谷径５Ｂよりも大となり、山径５Ａよりも小となるときに、金具本体１を固定することができる。
【００３１】
この場合、調整孔４の短径における対向する側縁部に、ピッチに対応する段差４Ａを設けることで、タッピンネジをねじ込む際に傾かずにすむ（同図（ロ）参照）。また、この段差４Ａを設ける際に、調整孔４の短径における対向する側縁部に屈曲部４Ｂを形成し、この屈曲部４Ｂの先端に段差４Ａを設けることで、連結ネジ５を強固に保持することができる。
【００３２】
また、図５には、金具本体１の調整孔４に連結ナット６をスライド自在に装着した例が示されている（同図（イ）参照）。この金具本体１では、連結ネジ５を連結ナット６にネジ止めするものである（同図（ロ）参照）。
【００３３】
図６に示す金具本体１は、金具本体１の上方に向けて屈曲された支持リブ１Ｂを設けている（同図（イ）参照）。この支持リブ１Ｂは、支持具Ｑの傾きを防止するものである（同図（ロ）参照）。
【００３４】
更に図７に示す金具本体１には、湾曲した調整孔４と円形状の補助調整孔４Ｃとが設けられている。このような形状の調整孔４でも、網状板Ｒの孔に対応可能になる。
【００３５】
次に、本発明調整金具の装着手順を説明する。まず、ケーブルラックＰの子桁Ｐ１上に金具本体１を固定する（同図（イ）参照）。次に、この子桁Ｐ１と金具本体１の上に網状板Ｒを設置する（同図（ロ）参照）。更に、網状板Ｒの上に配された支持具Ｑに連結ネジ５を挿通させ、網状板Ｒの下に配された金具本体１の調整孔４にネジ止めして支持具Ｑと金具本体１とを固定する。そして、固定された支持具ＱにセパレーターＳを装着するものである（同図（ハ）参照）。
【００３６】
尚、本発明は、図示例に限定されるものではなく、金具本体１や調整孔４の形状寸法等の設計変更、および材質の変更などは任意に行えるものであり、本発明の要旨を変更しない範囲において自由に変更できるものである。
【図面の簡単な説明】
【００３７】
【図１】本発明調整金具の一実施例を示す分解斜視図である。
【図２】本発明調整孔と網状板の孔の位置関係を示す説明図である。
【図３】本発明の調整孔と連結ネジの実施例を示し、（イ）は側面図、（ロ）は使用状態を示す拡大断面図である。
【図４】本発明の金具本体と支持具Ｑとの関係を示し、（イ）は金具本体の使用状態を示す側面図、（ロ）は金具本体の平面図である。
【図５】本発明の金具本体の他の実施例を示し、（イ）は平面図、（ロ）は使用状態を示す側面図である。
【図６】本発明の金具本体の他の実施例を示し、（イ）は平面図、（ロ）は使用状態を示す側面図である。
【図７】本発明の金具本体の他の実施例を示し、（イ）は平面図、（ロ）は使用状態を示す側面図である。
【図８】（イ）乃至（ハ）は、本発明の施工手順を示す工程図である。
【符号の説明】
【００３８】
Ｐ  ケーブルラック
Ｐ１  子桁
Ｑ  支持具
Ｑ１  ボルト挿通孔
Ｑ２  固定ボルト
Ｒ  網状板
Ｓ  セパレーター
Ｔ  固定ナット
１  金具本体
１Ａ  載置面
１Ｂ  支持リブ
２  連結孔
３  補強リブ
４  調整孔
４Ａ  段差
４Ｂ  屈曲部
４Ｃ  補助調整孔
４Ｄ  短径
５  連結ネジ
５Ａ  山径
５Ｂ  谷径
５Ｃ  ピッチ
６  連結ナット
【図１】
0004556218.tif 000002
【図２】
0004556218.tif 000003
【図３】
0004556218.tif 000004
【図４】
0004556218.tif 000005
【図５】
0004556218.tif 000006
【図６】
0004556218.tif 000007
【図７】
0004556218.tif 000008
【図８】
0004556218.tif 000009